【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
ディスプレイ上にグラフィカル・ユーザー・インターフェースを提供する方法を実行すべくプロセッサを設定する命令を含むコンピュータ可読媒体であって、前記方法が、
複数のリンクを含むメニューであって、前記リンクがサブメニューに対応する複数のリンクを含んでいて、前記サブメニューがそれぞれ更に複数のリンクを含んでいるメニューを提供するステップと、
複数のユーザー入力を監視するステップと、
前記ディスプレイ内におけるカーソルの位置を監視するステップと、
第１のユーザー入力が行なわれた時点で前記メニューを表示するステップと、
前記メニュー内の対応するサブメニュー・リンクが選択された時点で前記サブメニューを表示するステップと、
前記ディスプレイのコンテンツ部内のコンテンツを監視するステップと、
前記カーソルが前記ディスプレイの前記コンテンツ部内にあって前記メニューが表示されていない場合、第２のユーザー入力が行なわれた時点で、前記コンテンツ部のコンテンツに基づきどのサブメニューを表示すべきかを決定し、決定したサブメニューを最初に前記メニューを表示することなく表示するステップとを含む媒体。
【請求項２】
複数のユーザー入力を監視するステップが、前記カーソルの移動を制御するユーザーによる方向入力を監視するステップを含む、請求項１に記載のコンピュータ可読媒体。
【請求項３】
前記メニューの複数のリンクが、一方向に向けられた方向入力を用いて繰り返しナビゲート可能である、請求項２に記載のコンピュータ可読媒体。
【請求項４】
前記コンテンツ部が境界を有し、
前記カーソルが、前記コンテンツ部の境界内の少なくとも２個の位置間を移動可能であり、
前記第１のユーザー入力が、前記コンテンツ部の境界を越えて前記カーソルを移動させる方向への方向入力からなる、請求項２に記載のコンピュータ可読媒体。
【請求項５】
前記ディスプレイのコンテンツ部がコンテンツページを表示し、前記メニューおよび前記サブメニューの少なくとも１個が前記コンテンツページへのリンクを含む、請求項１に記載のコンピュータ可読媒体。
【請求項６】
前記第２のユーザー入力が単一キーストロークからなる、請求項１に記載のコンピュータ可読媒体。
【請求項７】
ディスプレイ上にグラフィカル・ユーザー・インターフェースを提供する方法を実行すべくプロセッサを設定する命令を含むコンピュータ可読媒体であって、前記方法が、
複数のリンクを含むメニューを提供するステップと、
前記ディスプレイのコンテンツ部内におけるカーソルの移動を制御するユーザーによる方向入力であって、前記メニューの回りを自動的に回転するように一方向に向けられた当該方向入力を用いて、前記メニューの複数のリンクが繰り返しナビゲート可能となる方向入力を監視するステップと、
前記ディスプレイのコンテンツ部が境界を有し、前記コンテンツ部の境界内の少なくとも２個の位置の間で前記カーソルの移動を許す前記コンテンツ部内における前記カーソルの位置を監視するステップと、
前記コンテンツ部の境界を越えて前記カーソルを移動させる方向への方向入力が行なわれた時点で前記メニューを表示するステップと、
逆向きの方向入力が行なわれた時点で前記ディスプレイから前記メニューを削除するステップとを含む媒体。
【請求項８】
前記リンクがサブメニューに対応する少なくとも１個のリンクを含んでいて、前記サブメニューが更に複数のリンクを含み、
前記ディスプレイのコンテンツ部がコンテンツページを表示し、前記メニューおよび前記サブメニューの少なくとも１個が前記コンテンツページへのリンクを含んでいて、
前記方法が更に、前記コンテンツ部内に前記コンテンツページを表示するステップと、前記対応ページリンクが選択された時点で、前記コンテンツページ内に前記カーソルを合わせるステップとを含む、請求項７に記載のコンピュータ可読媒体。
【請求項９】
前記方向入力が、前記コンテンツ部の境界外まで前記カーソルを一方向へ移動させる方向入力からなる、請求項７に記載のコンピュータ可読媒体。
【請求項１０】
前記方向入力が単一キーストロークからなる、請求項７に記載のコンピュータ可読媒体。
【請求項１１】
グラフィカル・ユーザー・インターフェースを提供するシステムであって、
プロセッサと、
複数のリンクを含むメニューであって、前記リンクがサブメニューに対応する複数のリンクを含んでいて、前記サブメニューがそれぞれ更に複数のリンクを含んでいるメニューを提供すべく、
複数のユーザー入力を監視すべく、
ディスプレイ内におけるカーソルの位置を監視すべく、
第１のユーザー入力が行なわれた時点で前記メニューを表示すべく、
前記メニュー内で対応するサブメニュー・リンクが選択された時点で、前記サブメニューを表示すべく、
前記ディスプレイのコンテンツ部内のコンテンツを監視すべく、かつ
前記カーソルが前記ディスプレイの前記コンテンツ部内にあって前記メニューが表示されていない場合、第２のユーザー入力が行なわれた時点で、前記コンテンツ部のコンテンツに基づきどのサブメニューを表示すべきかを決定し、決定したサブメニューを最初に前記メニューを表示することなく表示すべく前記プロセッサを設定する命令を含んでいるコンピュータ可読媒体とを含むシステム。
【請求項１２】
複数のユーザー入力を監視するステップが、前記カーソルの移動を制御するユーザーによる方向入力を監視するステップを含む、請求項１１に記載に記載のシステム。
【請求項１３】
前記メニュー内の複数のリンクが、一方向に向けられた方向入力を用いて繰り返しナビゲート可能である、請求項１２に記載のシステム。
【請求項１４】
前記コンテンツ部が境界を有し、
前記カーソルが前記コンテンツ部の境界内で少なくとも２個の位置の間を移動可能であり、
前記第１のユーザー入力が、前記コンテンツ部の境界を越えて前記カーソルを移動させる方向への方向入力からなる、請求項１２に記載のシステム。
【請求項１５】
前記ディスプレイのコンテンツ部がコンテンツページを表示し、前記メニューおよび前記サブメニューの少なくとも１個が前記コンテンツページへのリンクを含む、請求項１１に記載のシステム。
【請求項１６】
前記第２のユーザー入力が単一のキーストロークからなる、請求項１１に記載のシステム。
【請求項１７】
グラフィカル・ユーザー・インターフェースを提供するシステムであって、
プロセッサと、
複数のリンクを含むメニューを提供すべく、
ディスプレイのコンテンツ部内におけるカーソルの移動を制御するユーザーによる方向入力であって、前記メニューの回りを自動的に回転するように一方向に向けられた当該方向入力を用いて、前記メニューの複数のリンクが繰り返しナビゲート可能となる方向入力を監視すべく、
前記ディスプレイのコンテンツ部が境界を有し、前記コンテンツ部の境界内の少なくとも２個の位置の間で前記カーソルの移動を許す前記コンテンツ部内における前記カーソルの位置を監視すべく、
前記コンテンツ部の境界を越えて前記カーソルを移動させる方向への方向入力が行なわれた時点で前記メニューを表示すべく、かつ
逆向きの方向入力が行なわれた時点で前記ディスプレイから前記メニューを削除すべく前記プロセッサを設定する命令を含んでいるコンピュータ可読媒体とを含むシステム。
【請求項１８】
前記リンクがサブメニューに対応する少なくとも１個のリンクを含んでいて、前記サブメニューが更に複数のリンクを含み、
前記ディスプレイのコンテンツ部がコンテンツページを表示し、前記メニューおよび前記サブメニューの少なくとも１個が前記コンテンツページへのリンクを含んでいて、
前記コンピュータ可読媒体は更に、前記コンテンツ部内にコンテンツページを表示すべく前記プロセッサを設定し、かつ前記対応するページリンクが選択された時点で、前記コンテンツページ内に前記カーソルを合わせる命令を含む、請求項１７に記載のシステム。
【請求項１９】
前記方向入力が、前記コンテンツ部の境界外まで前記カーソルを一方向へ移動させる方向入力からなる、請求項１７に記載のシステム。
【請求項２０】
前記方向入力が単一のキーストロークからなる、請求項１７に記載のシステム。
【請求項２１】
電子機器であって、
ディスプレイと、
前記ディスプレイ上へのグラフィカル・ユーザー・インターフェースの表示を制御すべく設定されたプロセッサと、
複数のリンクを含むメニューであって、前記リンクがサブメニューに対応する複数のリンクを含んでいて、前記サブメニューがそれぞれ更に複数のリンクを含んでいるメニューを提供すべく、
複数のユーザー入力を監視すべく、
ディスプレイ内におけるカーソルの位置を監視すべく、
第１のユーザー入力が行なわれた時点で前記メニューを表示すべく、
前記メニュー内で対応するサブメニュー・リンクが選択された時点で、前記サブメニューを表示すべく、
前記ディスプレイのコンテンツ部内のコンテンツを監視すべく、かつ
前記カーソルが前記ディスプレイの前記コンテンツ部内にあって前記メニューが表示されていない場合、第２のユーザー入力が行なわれた時点で、前記コンテンツ部のコンテンツに基づきどのサブメニューを表示すべきかを決定し、決定したサブメニューを最初に前記メニューを表示することなく表示すべく前記プロセッサを設定する命令を含んでいるコンピュータ可読媒体とを含む電子機器。
【請求項２２】
複数のユーザー入力を監視するステップが、前記カーソルの移動を制御するユーザーによる方向入力を監視するステップを含む、請求項２１に記載の機器。
【請求項２３】
前記メニューの複数のリンクが、一方向に向けられた方向入力を用いて繰り返しナビゲート可能である、請求項２２に記載の機器。
【請求項２４】
前記コンテンツ部が境界を有し、
前記カーソルが、前記コンテンツ部の境界内の少なくとも２個の位置間を移動可能であり、
前記第１のユーザー入力が、前記コンテンツ部の境界を越えて前記カーソルを移動させる方向への方向入力からなる、請求項２２に記載の機器。
【請求項２５】
前記ディスプレイのコンテンツ部がコンテンツページを表示し、前記メニューおよび前記サブメニューの少なくとも１個が前記コンテンツページへのリンクを含む、請求項２１に記載の機器。
【請求項２６】
前記第２のユーザー入力が単一のキーストロークからなる、請求項２１に記載の機器。
【請求項２７】
電子機器であって、
ディスプレイと、
方向入力と、
前記ディスプレイ上へのグラフィカル・ユーザー・インターフェースの表示を制御すべく設定されたプロセッサと、
複数のリンクを含むメニューを提供すべく、
前記ディスプレイのコンテンツ部内におけるカーソルの移動を制御するユーザーによる方向入力であって、前記メニューの回りを自動的に回転するように一方向に向けられた当該方向入力を用いて、前記メニューの複数のリンクが繰り返しナビゲート可能となる方向入力を監視すべく、
前記ディスプレイのコンテンツ部が境界を有し、前記コンテンツ部の境界内の少なくとも２個の位置の間で前記カーソルの移動を許す前記コンテンツ部内における前記カーソルの位置を監視すべく、
前記コンテンツ部の境界を越えて前記カーソルを移動させる方向への方向入力が行なわれた時点で前記メニューを表示すべく、かつ
逆向きの方向入力が行なわれた時点で前記ディスプレイから前記メニューを削除すべく前記プロセッサを設定する命令を含んでいるコンピュータ可読媒体とを含む電子機器。
【請求項２８】
前記リンクがサブメニューに対応する少なくとも１個のリンクを含んでいて、前記サブメニューが更に複数のリンクを含み、
前記ディスプレイのコンテンツ部がコンテンツページを表示し、前記メニューおよび前記サブメニューの少なくとも１個が前記コンテンツページへのリンクを含み、
前記コンピュータ可読媒体は、前記コンテンツ部内に前記コンテンツページを表示すべく前記プロセッサを設定し、かつ前記対応ページリンクが選択された時点で、前記コンテンツページ内に前記カーソルを合わせる命令を更に含む、請求項２７に記載の機器。
【請求項２９】
前記方向入力が、前記コンテンツ部の境界外まで前記カーソルを一方向へ移動させる方向入力からなる、請求項２７に記載の機器。
【請求項３０】
電子ディスプレイ上にグラフィカル・ユーザー・インターフェースを提供する方法であって、
複数のリンクを含むメニューであって、前記リンクがサブメニューに対応する複数のリンクを含んでいて、前記サブメニューがそれぞれ更に複数のリンクを含んでいるメニューを提供するステップと、
複数のユーザー入力を監視するステップと、
前記ディスプレイ内におけるカーソルの位置を監視するステップと、
第１のユーザー入力が行なわれた時点で前記メニューを表示するステップと、
前記メニュー内の対応するサブメニュー・リンクが選択された時点で前記サブメニューを表示するステップと、
前記ディスプレイのコンテンツ部内のコンテンツを監視するステップと、
前記カーソルが前記ディスプレイの前記コンテンツ部内にあって前記メニューが表示されていない場合、第２のユーザー入力が行なわれた時点で、前記コンテンツ部のコンテンツに基づきどのサブメニューを表示すべきかを決定し、決定したサブメニューを最初に前記メニューを表示することなく表示するステップとを含む方法。
【請求項３１】
複数のユーザー入力を監視するステップが、前記カーソルの移動を制御するユーザーによる方向入力を監視するステップを含む、請求項３０に記載の方法。
【請求項３２】
前記コンテンツ部が境界を有し、
前記カーソルが、前記コンテンツ部の境界内の少なくとも２個の位置間を移動可能であり、
前記第１のユーザー入力が、前記コンテンツ部の境界を越えて前記カーソルを移動させる方向への方向入力からなる、請求項３１に記載の方法。
【請求項３３】
前記ディスプレイのコンテンツ部がコンテンツページを表示し、前記メニューおよび前記サブメニューの少なくとも１個が前記コンテンツページへのリンクを含む、請求項３０に記載の方法。
【請求項３４】
前記第２のユーザー入力が単一のキーストロークからなる、請求項３０に記載の方法。
【請求項３５】
電子ディスプレイ上にグラフィカル・ユーザー・インターフェースを提供する方法であって、
複数のリンクを含むメニューを提供するステップと、
前記ディスプレイのコンテンツ部内におけるカーソルの移動を制御するユーザーによる方向入力であって、前記メニューの回りを自動的に回転するように一方向に向けられた当該方向入力を用いて、前記メニューの複数のリンクが繰り返しナビゲート可能となる方向入力を監視するステップと、
前記ディスプレイのコンテンツ部が境界を有し、前記コンテンツ部の境界内の少なくとも２個の位置の間で前記カーソルの移動を許す前記コンテンツ部内における前記カーソルの位置を監視するステップと、
前記コンテンツ部の境界を越えて前記カーソルを移動させる方向への方向入力が行なわれた時点で前記メニューを表示するステップと、
逆向きの方向入力が行なわれた時点で前記ディスプレイから前記メニューを削除するステップとを含む方法。
【請求項３６】
前記リンクがサブメニューに対応する少なくとも１個のリンクを含んでいて、前記サブメニューが更に複数のリンクを含み、
前記ディスプレイのコンテンツ部がコンテンツページを表示し、前記メニューおよび前記サブメニューの少なくとも１個が前記コンテンツページへのリンクを含み、
前記方法が更に、前記コンテンツ部内に前記コンテンツページを表示するステップと、前記対応ページリンクが選択された時点で、前記コンテンツページ内に前記カーソルを合わせるステップとを含む、請求項３５に記載の方法。
【請求項３７】
前記方向入力が、前記コンテンツ部の境界外まで前記カーソルを一方向へ移動させる方向入力からなる、請求項３５に記載の方法。
【請求項３８】
前記方向入力が単一のキーストロークからなる、請求項３５に記載の方法。
【請求項３９】
ディスプレイを備えた携帯通信機器へナビゲーション・インターフェースを提供する方法を実行すべくプロセッサを設定する命令を含むコンピュータ可読媒体であって、前記方法が、
ユーザーによる方向入力を監視するステップと、
前記携帯通信機器の選択入力を監視するステップと、
前記ディスプレイ内の静止位置にカーソルを表示するステップと、
前記ユーザーによる方向入力に応答して前記カーソルの静止位置を介して回転することによりナビゲート可能な複数のリンクを含むメニューであって、前記複数のリンクがナビゲートされる際、前記カーソルの静止位置が一度に一つのリンクを強調表示し、表示された場合に前記ディスプレイの一方の側に配置されるメニューを提供するステップと、
前記カーソルが前記メニュー上にある場合、選択的にメニューを非アクティブにさせて、前記ディスプレイの一方の側と逆方向への方向入力に応答して前記ディスプレイのコンテンツ部に表示されたコンテンツページ内にカーソルのフォーカスを合わせるステップとを含むコンピュータ可読媒体。
【請求項４０】
携帯通信機器へナビゲーション・インターフェースを提供する方法を実行すべくプロセッサを設定する命令を含むコンピュータ可読媒体であって、前記方法が、
前記携帯通信機器のディスプレイ内におけるカーソルの移動を制御するユーザーによる方向入力を監視するステップと、
前記携帯通信機器の選択入力を監視するステップと、
複数のリンクを含むメニューであって、前記リンクが前記ユーザーによる方向入力を用いてナビゲート可能であり、表示された場合に前記ディスプレイの一方の側に配置されるメニューを提供するステップと、
前記ディスプレイの一方の側に沿って前記メニューを表示して、前記ディスプレイの一方側の一方向への方向入力に応答して、カーソルのフォーカスを前記メニュー内のリンクの１つに合わせるステップと、
前記カーソルが前記メニュー上にある場合、選択入力に応答して前記カーソルのフォーカスが合わせられている前記メニュー内のリンクを選択的に開くステップとを含むコンピュータ可読媒体。
【請求項４１】
携帯通信機器へのナビゲーション・インターフェースを提供する方法を実行すべくプロセッサを設定する命令を含むコンピュータ可読媒体であって、前記方法が、
前記携帯通信機器のディスプレイ内におけるカーソルの移動を制御するユーザーによる方向入力を監視するステップと、
前記携帯通信機器の選択入力を監視するステップと、
複数のリンクを含むメニューであって、前記リンクが前記ユーザーによる方向入力を用いてナビゲート可能であり、表示された場合に前記ディスプレイの一方の側に添って配置されるメニューを提供するステップと、
前記ディスプレイの一方の側に沿って前記メニューを表示して、前記ディスプレイの一方側の一方向への方向入力に応答して、カーソルのフォーカスを前記メニュー内のリンクの１つに合わせるステップと、
前記カーソルが前記メニュー上にある場合、
（ａ）前記メニューを非アクティブにさせ、前記ディスプレイの一方の側の逆方向への方向入力に応答して、前記ディスプレイのコンテンツ部内に表示されたコンテンツページ内にカーソルのフォーカスを合わせるステップ、または、
（ｂ）選択入力に応答して前記カーソルのフォーカスが合わせられた前記メニューのリンクを開くステップを選択的に含むコンピュータ可読媒体。
【請求項４２】
前記カーソルが前記メニュー上にある場合、前記ディスプレイ内における前記カーソルの位置は静止したままであり、
前記方法が方向入力に応答して、前記カーソルの位置を介して前記メニューのリンクを回転させるステップを更に含み、前記カーソルの静止位置は、前記複数のリンクがナビゲートされる際、一度に一つのリンクを強調表示する、請求項４１に記載のコンピュータ可読媒体。
【請求項４３】
携帯電話システムであって、
ディスプレイを備えた、少なくとも１個の携帯電話と、
携帯電話に、前記携帯電話システムを介したデジタルコンテンツへのアクセスを提供するコンテンツサーバとを含み、
前記システムが更に、前記携帯電話にナビゲーション・インターフェースを提供する方法を実行すべくプロセッサを設定する命令を含むコンピュータ可読媒体を含み、前記方法が、
ユーザーによる方向入力を監視するステップと、
前記携帯電話の選択入力を監視するステップと、
前記ディスプレイ内の静止位置にカーソルを表示するステップと、
前記コンテンツサーバによりホスティングされるコンテンツページへの複数のリンクを含むメニューであって、前記リンクが前記ユーザーによる方向入力に応答して前記カーソルの静止位置を介して回転することによりナビゲート可能であり、前記複数のリンクがナビゲートされる際、前記カーソルの静止位置が一度に一つのリンクを強調表示し、表示された場合に前記ディスプレイの一方の側に配置されるメニューを提供するステップと、
前記カーソルが前記メニュー上にある場合、選択的にメニューを非アクティブにさせて、前記ディスプレイの一方の側と逆方向への方向入力に応答して前記ディスプレイのコンテンツ部に表示されたコンテンツページ内にカーソルのフォーカスを合わせるステップとを含む携帯電話システム。
【請求項４４】
携帯電話システムであって、
少なくとも１個の携帯電話と、
携帯電話に、前記携帯電話システムを介したデジタルコンテンツへのアクセスを提供するコンテンツサーバとを含み、
前記システムが更に、前記携帯電話にナビゲーション・インターフェースを提供する方法を実行すべくプロセッサを設定する命令を含むコンピュータ可読媒体を含み、前記方法が、
前記携帯電話のディスプレイ内におけるカーソルの移動を制御するユーザーによる方向入力を監視するステップと、
前記携帯電話の選択入力を監視するステップと、
前記コンテンツサーバによりホスティングされるコンテンツページへの複数のリンクを含むメニューであって、前記リンクが前記ユーザーによる方向入力を用いてナビゲート可能であり、表示された場合に前記ディスプレイの一方の側に配置されるメニューを提供するステップと、
前記ディスプレイの一方の側に沿って前記メニューを表示して、前記ディスプレイの一方側の一方向への方向入力に応答して、カーソルのフォーカスを前記メニュー内のリンクの１つに合わせるステップと、
前記カーソルが前記メニュー上にある場合、選択入力に応答して前記カーソルのフォーカスが合わされているリンクを選択的に開くステップとを含む携帯電話システム。
【請求項４５】
携帯電話システムであって、
少なくとも１個の携帯電話と、
携帯電話に、前記携帯電話システムを介したデジタルコンテンツへのアクセスを提供するコンテンツサーバとを含み、
前記システムが更に、前記携帯電話にナビゲーション・インターフェースを提供する方法を実行すべくプロセッサを設定する命令を含むコンピュータ可読媒体を含み、前記方法が、
前記携帯電話のディスプレイ内におけるカーソルの移動を制御するユーザーによる方向入力を監視するステップと、
前記携帯電話の選択入力を監視するステップと、
前記コンテンツサーバによりホスティングされるコンテンツページへの複数のリンクを含むメニューであって、前記リンクが前記ユーザーによる方向入力を用いてナビゲート可能であり、表示された場合に前記ディスプレイの一方の側に添って配置されるメニューを提供するステップと、
前記ディスプレイの一方の側に沿って前記メニューを表示して、前記ディスプレイの一方側の一方向への方向入力に応答して、カーソルのフォーカスを前記メニュー内のリンクの１つに合わせるステップと、
前記カーソルが前記メニュー上にある場合、
（ａ）前記メニューを非アクティブにさせ、前記ディスプレイの一方の側の逆方向への方向入力に応答して、前記ディスプレイのコンテンツ部内に表示されたコンテンツページ内にカーソルのフォーカスを合わせるステップ、または、
（ｂ）選択入力に応答して前記カーソルのフォーカスが合わせられたリンクを開くステップを選択的に含む携帯電話システム。
【請求項４６】
前記カーソルが前記メニュー上にある場合、前記ディスプレイ内における前記カーソルの位置は静止したままであり、
前記方法が方向入力に応答して、前記カーソルの位置を介して前記メニューのリンクを回転させるステップを更に含む、請求項４５に記載のシステム。
【請求項４７】
携帯通信機器であって、
無線信号を送受信するトランシーバと、
ディスプレイと、
方向入力と、
選択入力と、
前記ディスプレイ上へのグラフィカル・ユーザー・インターフェースの表示を制御すべく設定されたプロセッサと、
前記携帯通信機器にナビゲーション・インターフェースを提供する方法を実行すべくプロセッサを設定する命令を含むコンピュータ可読媒体とを含み、前記方法が、
ユーザーによる前記方向入力を監視するステップと、
前記選択入力を監視するステップと、
前記ディスプレイ内の静止位置にカーソルを表示するステップと、
前記ユーザーによる方向入力に応答して前記カーソルの静止位置を介して回転することによりナビゲート可能な複数のリンクを含むメニューであって、前記複数のリンクがナビゲートされる際、前記カーソルの静止位置が一度に一つのリンクを強調表示し、表示された場合に前記ディスプレイの一方の側に添って配置されるメニューを提供するステップと、
前記カーソルが前記メニュー上にある場合、選択的にメニューを非アクティブにさせて、前記ディスプレイの一方の側と逆方向への方向入力に応答して前記ディスプレイのコンテンツ部に表示されたコンテンツページ内にカーソルのフォーカスを合わせるステップとを含む携帯通信機器。
【請求項４８】
携帯通信機器であって、
無線信号を送受信するトランシーバと、
ディスプレイと、
前記ディスプレイ内におけるカーソルの移動を制御する方向入力と、
選択入力と、
前記ディスプレイ上へのグラフィカル・ユーザー・インターフェースの表示を制御すべく設定されたプロセッサと、
前記携帯通信機器にナビゲーション・インターフェースを提供する方法を実行すべくプロセッサを設定する命令を含むコンピュータ可読媒体を含み、前記方法が、
ユーザーによる前記方向入力を監視するステップと、
前記選択入力を監視するステップと、
複数のリンクを含むメニューであって、前記リンクが前記ユーザーによる方向入力を用いてナビゲート可能であり、表示された場合に前記ディスプレイの一方の側に添って配置されるメニューを提供するステップと、
前記ディスプレイの一方の側に沿って前記メニューを表示して、前記ディスプレイの一方側の一方向への方向入力に応答して、カーソルのフォーカスを前記メニュー内のリンクの１つに合わせるステップと、
前記カーソルが前記メニュー上にある場合、選択入力に応答して前記カーソルのフォーカスが合わされているリンクを選択的に開くステップとを含む携帯通信機器。
【請求項４９】
携帯通信機器であって、
無線信号を送受信するトランシーバと、
ディスプレイと、
前記ディスプレイ内におけるカーソルの移動を制御する方向入力と、
選択入力と、
前記ディスプレイ上へのグラフィカル・ユーザー・インターフェースの表示を制御すべく設定されたプロセッサと、
前記携帯通信機器にナビゲーション・インターフェースを提供する方法を実行すべくプロセッサを設定する命令を含むコンピュータ可読媒体とを含み、前記方法が、
ユーザーによる前記方向入力を監視するステップと、
前記選択入力を監視するステップと、
複数のリンクを含むメニューであって、前記リンクが前記ユーザーによる方向入力を用いてナビゲート可能であり、表示された場合に前記ディスプレイの一方の側に添って配置されるメニューを提供するステップと、
前記ディスプレイの一方の側に沿って前記メニューを表示して、前記ディスプレイの一方側の一方向への方向入力に応答して、カーソルのフォーカスを前記メニュー内のリンクの１つに合わせるステップと、
前記カーソルが前記メニュー上にある場合、
（ａ）前記メニューを非アクティブにさせ、前記ディスプレイの一方の側の逆方向への方向入力に応答して、前記ディスプレイのコンテンツ部内に表示されたコンテンツページ内にカーソルのフォーカスを合わせるステップ、または、
（ｂ）選択入力に応答して前記カーソルのフォーカスが合わせられたリンクを開くステップを選択的に含む携帯通信機器。
【請求項５０】
前記カーソルが前記メニュー上にある場合、前記ディスプレイ内における前記カーソルの位置は静止したままであり、
前記方法が方向入力に応答して、前記カーソルの位置を介して前記メニューのリンクを回転させるステップを更に含む、請求項４９に記載の携帯通信機器。
【請求項５１】
ディスプレイを備えた携帯通信機器へナビゲーション・インターフェースを提供する方法であって、
ユーザーによる方向入力を監視するステップと、
前記携帯通信機器の選択入力を監視するステップと、
前記ディスプレイ内の静止位置にカーソルを表示するステップと、
前記ユーザーによる方向入力に応答して前記カーソルの静止位置を介して回転することによりナビゲート可能な複数のリンクを含むメニューであって、前記複数のリンクがナビゲートされる際、前記カーソルの静止位置が一度に一つのリンクを強調表示し、表示された場合に前記ディスプレイの一方の側に配置されるメニューを提供するステップと、
前記カーソルが前記メニュー上にある場合、選択的にメニューを非アクティブにさせて、前記ディスプレイの一方の側と逆方向への方向入力に応答して前記ディスプレイのコンテンツ部に表示されたコンテンツページ内にカーソルのフォーカスを合わせるステップとを含む方法。
【請求項５２】
ディスプレイを備えた携帯通信機器へナビゲーション・インターフェースを提供する方法であって、
前記携帯通信機器のディスプレイ内におけるカーソルの移動を制御するユーザーによる方向入力を監視するステップと、
前記携帯通信機器の選択入力を監視するステップと、
複数のリンクを含むメニューであって、前記リンクが前記ユーザーによる方向入力を用いてナビゲート可能であり、表示された場合に前記ディスプレイの一方の側に配置されるメニューを提供するステップと、
前記ディスプレイの一方の側に沿って前記メニューを表示して、前記ディスプレイの一方側の一方向への方向入力に応答して、カーソルのフォーカスを前記メニュー内のリンクの１つに合わせるステップと、
前記カーソルが前記メニュー上にある場合、選択入力に応答して前記カーソルのフォーカスが合わされているリンクを選択的に開くステップとを含む方法。
【請求項５３】
ディスプレイを備えた携帯通信機器へナビゲーション・インターフェースを提供する方法であって、
前記携帯通信機器のディスプレイ内におけるカーソルの移動を制御するユーザーによる方向入力を監視するステップと、
前記携帯通信機器の選択入力を監視するステップと、
複数のリンクを含むメニューであって、前記リンクが前記ユーザーによる方向入力を用いてナビゲート可能であり、表示された場合に前記ディスプレイの一方の側に配置されるメニューを提供するステップと、
前記ディスプレイの一方の側に沿って前記メニューを表示して、前記ディスプレイの一方側の一方向への方向入力に応答して、カーソルのフォーカスを前記メニュー内のリンクの１つに合わせるステップと、
前記カーソルが前記メニュー上にある場合、
（ａ）前記メニューを非アクティブにさせ、前記ディスプレイの一方の側の逆方向への方向入力に応答して、前記ディスプレイのコンテンツ部内に表示されたコンテンツページ内にカーソルのフォーカスを合わせるステップ、または、
（ｂ）選択入力に応答して前記カーソルのフォーカスが合わせられたリンクを開くステップを選択的に含む方法。
【請求項５４】
前記カーソルが前記メニュー上にある場合、前記ディスプレイ内における前記カーソルの位置は静止したままであり、
前記方法が方向入力に応答して、前記カーソルの位置を介して前記メニューのリンクを回転させるステップを更に含む、請求項５３に記載の方法。